(57)【要約】【課題】二重床における壁際に配置された床板構成部の端面とコンクリート躯体壁面との間に設けられた隙間の上方を覆うように壁面に取付けられる巾木であって、室内を狭くすることなく、隙間が室内側から目視されないようにできる巾木を提供する。【解決手段】二重床１における壁際に配置された床板構成部４の端面４１とコンクリート躯体壁面４２との間に設けられた隙間４３の上方を覆うように壁面４４に取付けられる巾木５であって、壁面と対向する壁側面５１と、壁側面と対向して室内１０側に位置される室側面５２と、壁側面の下端と室側面の下端とを繋いで隙間と対向する下面５３と、壁側面の上端と室側面の上端とを繋いで下面と対向する上面５４と、を備え、前記隙間４３に近い側に位置される下部における壁側面５１と室側面５２との間の長さが、上部における壁側面５１と室側面５２との間の長さよりも長く形成されたことを特徴とする。【選択図】図１
2016121503.tif 000002
【特許請求の範囲】
【請求項１】
床スラブと当該床スラブの上に所定の間隔で配置された支持脚と当該支持脚の上に形成された床板構成部とを備えて構成された二重床における壁際に配置された床板構成部の端面とコンクリート躯体壁面との間に設けられた隙間の上方を覆うように壁面に取付けられる巾木であって、
壁面と対向する壁側面と、壁側面と対向して室内側に位置される室側面と、壁側面の下端と室側面の下端とを繋いで隙間と対向する下面と、壁側面の上端と室側面の上端とを繋いで下面と対向する上面と、を備え、前記隙間に近い側に位置される下部における壁側面と室側面との間の長さが、上部における壁側面と室側面との間の長さよりも長く形成されたことを特徴とする巾木。
【請求項２】
壁側面と室側面とが平行に形成された第１巾木部材と、第１巾木部材の室側面の下部側に取り付けられた第２巾木部材とにより、前記隙間に近い側に位置される下部における壁側面と室側面との間の長さが、上部における壁側面と室側面との間の長さよりも長く形成されたことを特徴とする請求項１に記載の巾木。
【発明の詳細な説明】
【技術分野】
【０００１】
本発明は、二重床における壁際に配置された床板構成部の端面とコンクリート躯体壁面との間に設けられた隙間の上方を覆うように壁面に取付けられる巾木に関する。
【背景技術】
【０００２】
従来、床スラブと、床スラブの上に所定の間隔で配置された防振ゴム付きの支持脚と、支持脚の上に形成された床板構成部とを備えた構成の二重床において、床板構成部の端面とコンクリート躯体壁面との間に隙間を設けるとともに、この隙間が室内側から目視されないように隙間の上方の壁面に巾木を取付けた構造が知られている。
前記巾木としては、壁面と対向する壁側面、壁側面と対向して室内側に位置される室側面と、壁側面の下端と室側面の下端とを繋いで隙間と対向する下面と、壁側面の上端と室側面の上端とを繋いで下面と対向する上面と、を備え、壁側面と室側面とが平行に形成された構成のものを用いている。当該巾木の壁側面と室側面との間の長さ、即ち、巾木の厚さ寸法は、前記隙間の寸法よりも若干長く形成されている。
【先行技術文献】
【特許文献】
【０００３】
【特許文献１】特開２０１２−１２２２８１号公報
【発明の概要】
【発明が解決しようとする課題】
【０００４】
しかしながら、コンクリート躯体壁面の仕上げの精度が悪い場合、即ち、コンクリート躯体壁面に不陸がある場合（コンクリート躯体壁面が平滑ではなく凸凹がある状態の場合）、床板構成部の端面とコンクリート躯体壁面との間の隙間が一定にならない。
このようにコンクリート躯体壁面に不陸がある場合において、厚さ寸法の小さい巾木を用いた場合、隙間が室内側から目視されてしまう可能性があるため、コンクリート躯体壁面の不陸の凹部と床板構成部の端面との間の隙間が室内側から目視されないように厚さ寸法の大きい巾木を用いることが必要となる。しかしながら、厚さ寸法の大きい巾木を用いた場合、厚さ寸法の大きい巾木全体が室内側に出っ張るため、室内が狭くなってしまうという問題点があった。
本発明は、二重床における壁際に配置された床板構成部の端面とコンクリート躯体壁面との間に設けられた隙間の上方を覆うように壁面に取付けられる巾木であって、室内を狭くすることなく、隙間が室内側から目視されないようにできる巾木を提供する。
【課題を解決するための手段】
【０００５】
本発明の巾木は、床スラブと当該床スラブの上に所定の間隔で配置された支持脚と当該支持脚の上に形成された床板構成部とを備えて構成された二重床における壁際に配置された床板構成部の端面とコンクリート躯体壁面との間に設けられた隙間の上方を覆うように壁面に取付けられる巾木であって、壁面と対向する壁側面と、壁側面と対向して室内側に位置される室側面と、壁側面の下端と室側面の下端とを繋いで隙間と対向する下面と、壁側面の上端と室側面の上端とを繋いで下面と対向する上面と、を備え、前記隙間に近い側に位置される下部における壁側面と室側面との間の長さが、上部における壁側面と室側面との間の長さよりも長く形成されたことを特徴とするので、室内を狭くすることなく、隙間が室内側から目視されないようにできる巾木を提供できる。
壁側面と室側面とが平行に形成された第１巾木部材と、第１巾木部材の室側面の下部側に取り付けられた第２巾木部材とにより、前記隙間に近い側に位置される下部における壁側面と室側面との間の長さが、上部における壁側面と室側面との間の長さよりも長く形成されたことを特徴とするので、室内を狭くすることなく、隙間が室内側から目視されないようにできる巾木を提供できるとともに、壁側面と室側面との間の長さが異なる第２巾木部材を複数種類用意しておけば、不陸の大きさが比較的大きい場合であっても、コンクリート躯体壁面の不陸の大きさに対応して第１巾木部材の室側面の下部側に取付ける第２巾木部材を選択することで、隙間が室内側から目視されないようにできる。
【図面の簡単な説明】
【０００６】
【図１】二重床と巾木との関係を示す断面図。
【図２】巾木の断面図。
【図３】巾木の斜視図。
【図４】（ａ）は壁面に取付けられた実施形態１の巾木を上方から見た図、（ｂ）は壁面に取付けられた比較例の巾木を上方から見た図。
【図５】巾木の断面図。
【発明を実施するための形態】
【０００７】
実施形態１
図１に示すように、二重床１は、床スラブ２と、床スラブ２の上に所定の間隔で配置された複数の支持脚３と、複数の支持脚３の上に形成された床板構成部４とを備える。
【０００８】
支持脚３は、床スラブ２上に設置される防振ゴム３１と、下部が防振ゴム３１に取付けられて防振ゴム３１に支持される例えば金属製や樹脂製等の支柱３２と、支柱３２の上端部に設けられた台座３３とを備える。支柱３２の上部の外周面は図外の雄ねじ部に形成される。
台座３３は、例えば、パーティクルボード、あるいは、構造用合板（以下、単に「合板」という）で形成される。台座３３は、台座３３の上下面に貫通する図外の貫通孔を備え、この貫通孔内には当該貫通孔を上下に貫通いする金属製の筒３４が固定され、この金属製の筒３４の内周面は図外の雌ねじ部に形成される。
つまり、支持脚３は、支柱３２の上部の外周面に形成された雄ねじ部の雄ねじと金属製の筒３４の内周面に形成された雌ねじ部の雌ねじとのねじ嵌合により、台座３３が支柱３２に対して上下に移動可能に構成され、台座３３のレベル（高さ）を調整可能である。
尚、コンクリート躯体壁面４２の近く、即ち、壁際に設ける壁際支持脚３ａは、防振ゴム３１の硬度が例えば７０°のものを用い、壁際以外の位置に設ける中央側支持脚３ｂは、防振ゴム３１の硬度が例えば６５°のものを用いることで、重量物が設置されることが多い壁際の剛性を上げることが好ましい。
【０００９】
床板構成部４は、支持脚３の上に形成された基材部４０と、基材部４０の上に形成された下地部５０と、下地部５０の上に形成された床仕上げ部６０とを備える。
基材部４０と台座３３とが図外の固定手段により固定され、基材部４０と下地部５０とが図外の固定手段により固定される。上記固定手段は、釘、スクリュー釘、タッカー針、ビス等である。タッカー針は、針の先端部に接着剤が固着された接着剤付きのタッカー針を用いる。
【００１０】
基材部４０は、複数の支持脚３の台座３３上に載置されて水平方向に並べられ上記固定手段により台座３３に固定された複数の板材により構成される。基材部４０を構成する複数の板材は、例えば、パーティクルボードを用いる。
【００１１】
下地部５０は、基材部４０の上に水平方向に並べられ上記固定手段により基材部４０に固定された複数の板材により構成される。下地部５０を構成する板材は、例えば、合板を用いる。
【００１２】
床仕上げ部６０は、フローリング床材、カーペット、タイル、絨毯、石板、畳等により構成される。
【００１３】
二重床１における壁際に配置された床板構成部４の端面４１とコンクリート躯体壁面４２との間には隙間４３が形成され、この隙間４３の上方を覆うように壁面４４に巾木（幅木）５が接着剤等で取付けられる。
尚、壁面４４は、例えばコンクリート躯体壁面４２、あるいは、コンクリート躯体壁面４２に図外のクロス等の壁仕上げ材が取付けられて形成された壁面である。
【００１４】
巾木５は、隙間４３の水平方向に沿って延長する長尺部材により形成される。
巾木５は、例えば、塩化ビニル樹脂、ＡＢＳ樹脂、軟質エラストマー等の合成樹脂により形成される。
図２；図３に示すように、巾木５は、壁面４４と対向する壁側面５１、壁側面５１と対向して室内１０側に位置される室側面５２と、壁側面５１の下端と室側面５２の下端とを繋いで隙間４３と対向する下面５３と、壁側面５１の上端と室側面５２の上端とを繋いで下面５３と対向する上面５４とを備える。
例えば、壁側面５１、下面５３、上面５４は平面に形成され、当該壁側面５１と下面５３とが互いに直交する面に形成されるとともに、壁側面５１と上面５４とが互いに直交する面に形成されて、下面５３と上面５４とが互いに平行に対向する。
巾木５の下面５３と床仕上げ部６０の上面６０ｔとの間に隙間４５が形成されるように、巾木５の壁側面５１が接着剤等で壁面４４に取付けられる。
【００１５】
図２に示すように、巾木５の下面５３における壁側面５１との境界と室側面５２の境界との間の長さ寸法Ａは、巾木５の上面５４における壁側面５１との境界と室側面５２の境界との間の長さ寸法Ｂよりも長い。
巾木５は、隙間４３に近い側に位置される下部における壁側面５１と室側面５２との間の長さ（図２では壁側面５１と平面５２ｃとの間の長さ寸法Ａ）が、上部における壁側面５１と室側面５２との間の長さ（図２では壁側面５１と平面５２ａとの間の長さ寸法Ｂ）よりも長く形成されている。
即ち、巾木５は、壁側面５１と室側面５２との間の間隔である巾木５の厚さ寸法を比べた場合、巾木５の上側部分の厚さ寸法よりも巾木５の下側部分の厚さ寸法が長くなるように構成されている。
【００１６】
室側面５２は、曲面と平面とが組合わされて形成される。例えば、室側面５２は、図２示すように、室側面５２の上端から上面５４と下面５３との中間部程度までの部分が壁側面５１と間隔Ｂを隔てて平行な平面５２ａに形成されて、室側面５２の下端側が壁側面５１と間隔Ｂよりも長い間隔Ａを隔てて平行な平面５２ｃに形成されて、平面５２ａの下端と平面５２ｃ上端とが曲面５２ｂにより繋がるように形成された、混合面５２Ａにより構成される。
【００１７】
例えば、巾木５の上側部分の最大厚さ寸法が上面５４の厚さ寸法と等しい７ｍｍに形成され、かつ、巾木５の下側部分の最大厚さ寸法が下面５３の厚さ寸法と等しい１０ｍｍとなるように形成された実施形態１の巾木５を用いる場合と、壁側面と室側面とが平行な面で形成されて厚さ寸法が７ｍｍとなるように形成された比較例の巾木５Ｚを用いる場合との違いを図４に基づいて比較する。
例えば、設計上、床板構成部４の端面４１とコンクリート躯体壁面４２との間の隙間が５ｍｍとなるように決められている場合において、図４（ｂ）に示すように、比較例の巾木５Ｚを用いた場合、コンクリート躯体壁面４２の不陸（凹凸差）が所定の大きさになれば、床板構成部４の端面４１が巾木５Ｚよりも室内１０側に位置する可能性があり、室内１０側から隙間４３が目視される可能性がある。
一方、図４（ａ）に示すように、実施形態１の巾木５を用いた場合、コンクリート躯体壁面４２の不陸（凹凸差）が所定の大きさ以上になっても隙間４３の上方が巾木５で覆われて室内１０側から隙間４３が目視されないように巾木５で不陸を吸収できるようになる。即ち、実施形態１の巾木５を用いた場合、コンクリート躯体壁面４２の不陸が大きくても室内１０側から隙間４３が目視されないように巾木５で不陸を吸収できる場合が、比較例の巾木５Ｚを用いる場合と比べて多くなる。
【００１８】
尚、上記の場合において、壁側面と室側面とが平行な面で形成されて厚さ寸法が１０ｍｍとなるように形成された比較例の巾木５Ｚを用いれば、実施形態１の巾木５と同じように、コンクリート躯体壁面４２の不陸が大きくても室内１０側から隙間４３が目視されないように巾木５で不陸を吸収できるようになる。
しかしながら、比較例の巾木５Ｚは、上面から下面まで厚さ寸法が等しくかつ厚さ寸法が大きい巾木であり、このような厚さ寸法が大きい巾木全体が室内１０側に出っ張るため、室内１０が狭くなってしまうばかりでなく、意匠上のバランス悪くもなってしまう。また、比較例の巾木５Ｚの場合、材料費も多くかかるため、コスト高となる。
一方、実施形態１の巾木５は、巾木５の上側部分の厚さ寸法よりも巾木５の下側部分の厚さ寸法が長くなるように、言い換えれば、巾木５の上側部分の厚さ寸法が巾木５の下側部分の厚さ寸法よりも短く（薄く）構成されているので、上面から下面まで厚さ寸法が等しい比較例の巾木５Ｚを用いる場合と比べて、室内１０を広くでき、しかも、床面側の厚さ寸法が厚く、上部側の厚さ寸法が薄くなっているので、室内１０の床面側壁際の意匠のバランスが良好となる。また、材料費も少なくできる。
【００１９】
実施形態１によれば、二重床１における壁際に配置された床板構成部４の端面４１とコンクリート躯体壁面４２との間に設けられた隙間４３の上方を覆うように壁面４４に取付けられる巾木５として、上側部分の厚さ寸法よりも下側部分の厚さ寸法が長くなるように構成された巾木５を用いたことにより、室内１０を狭くすることなく、隙間４３が室内１０側から目視されないようにできる。
【００２０】
尚、室側面５２は、上面５４における室側面５２の境界から下面５３における室側面５２の境界に向けて傾斜する傾斜面に形成された構成であってもよい。
即ち、巾木５は、上側部分の厚さ寸法よりも下側部分の厚さ寸法が長くなるように構成されて、上面から下面まで厚さ寸法が等しい巾木を用いる場合と比べて室内１０を広くできるよう形成されていれば、室側面５２はどのような面により形成されていてもよい。
【００２１】
実施形態２
図５に示すように、壁側面５１と室側面６２とが平行に形成され、かつ、上面５４と下面６３と平行に形成された第１巾木部材６Ａと、第２巾木部材６Ｂとを備え、第１巾木部材６Ａの室側面６２の下部側に第２巾木部材６Ｂを取り付けることで、実施形態１と同様に、隙間４３に近い側に位置される下部における壁側面５１と室側面６５との間の長さが、上部における壁側面５１と室側面６２との間の長さよりも長く形成された巾木６を用いるようにしてもよい。
当該巾木６を用いれば、実施形態１と同様に、室内１０を狭くすることなく、隙間４３が室内１０側から目視されないようにできる巾木６を提供できる。また、第１巾木部材６Ａの室側面６２の下部側に接着剤等によって取付けられる壁側面６４と室側面６５との間の長さが異なる第２巾木部材６Ｂを複数種類用意しておけば、コンクリート躯体壁面４２の不陸の大きさが比較的大きい場合であっても、コンクリート躯体壁面４２の不陸の大きさに対応して第１巾木部材６Ａの室側面６２の下部側に取付ける第２巾木部材６Ｂを選択することで、隙間４３が室内１０側から目視されないようにできる。
【００２２】
巾木６の室側面６２及び室側面６５の形状は、実施形態１の巾木５の室側面５２の形状と同じ形状、又は、異なる形状とすることができる。
【符号の説明】
【００２３】
１  二重床、２  床スラブ、３  支持脚、４  床板構成部、５  巾木、
６Ａ  第１巾木部材、６Ｂ  第２巾木部材、４１  床板構成部の端面、
４２  コンクリート躯体壁面、４３  隙間、４４  壁面、５１  壁側面、
５２；６２；６５  室側面、５３  下面、５４  上面。
【図１】
2016121503.tif 000003
【図２】
2016121503.tif 000004
【図３】
2016121503.tif 000005
【図４】
2016121503.tif 000006
【図５】
2016121503.tif 000007